(57)【特許請求の範囲】
【請求項１】
平板建築資材を傾斜方向に滑落させるための傾斜面を設けた傾斜台と、前記傾斜方向と平行な方向に該平板建築資材を切断すべく前記傾斜面上に設置されるカッターと、前記カッターを固定するカッター固定手段とを有する平板建築資材用カッター装置であって、
前記カッターの固定手段が、前記傾斜面から所定の高さに保持されかつ上面側にて該カッターを固定した取付板を具備し、該取付板が、
前記上面側に固定した前記カッターにおける切断作業部位をその下面側から突出させるべく穿設されたカッタースリットと、
前記取付板の該傾斜面からの高さを調節する第１の高さ調節手段と、
前記カッターの該傾斜面からの高さを調節する第２の高さ調節手段と、
前記平板建築資材を切断する幅を調節すべく前記傾斜面上において前記傾斜方向と垂直な方向について該取付板を移動可能とする幅調節手段とを具備することを特徴とする平板建築資材用カッター装置。
【請求項２】
前記幅調節手段が、前記傾斜面上から前記取付板に向かって延びるロッド体を通しかつ案内すべく前記傾斜方向と垂直な方向に延在して該取付板に穿設された幅調節スリットを具備することを特徴とする請求項１記載の平板建築資材用カッター装置。
【請求項３】
前記平板建築資材が折れ曲がり部分を具備する場合にその折れ曲がり部分を受容すべく、前記傾斜台の傾斜面上に前記傾斜方向に沿って延在する溝を設けたことを特徴とする請求項１又は２記載の平板建築資材用カッター装置。
【発明の詳細な説明】
【０００１】
【発明の属する技術分野】
本発明は、タイル等の平板建築資材を切断し若しくは切溝を形成するための平板建築資材用カッター装置に関する。
【０００２】
【従来の技術】
モザイクタイル等の既成の平板建築資材は、施工の際、必要な大きさ（縦横の寸法）とするために切断加工しなければならない場合がある。最も単純な方法としては、例えば、タイルに目安となる切断線をマジック等で予め描いた後、タイルを固定し、円盤状の電動カッターを操作してマジックで描かれた切断線に沿って切断していた。
【０００３】
また、自動機構を取り入れた既存のタイルカッター装置等も、下記特許文献１〜６に例示されるように極めて多数の構造が提示されている。それらの多くは、円盤状等の電動カッターとタイル固定手段若しくはタイル搬送手段とを組み合わせたものである。例えば、下記特許文献２及び５に記載のように、タイルを固定しておき電動カッターを直線状に移動させてタイルを切断する方式と、下記特許文献１、３、４及び６に記載のように、電動カッターを固定しておきタイルを直線状に移動させてタイルを切断する方式とがある。
【０００４】
【特許文献１】
特開平７−９６５１５号公報
【特許文献２】
特開平７−１４８７３０号公報
【特許文献３】
特開平１１−１９９２２号公報
【特許文献４】
特開２００１−２７７０８５号公報
【特許文献５】
特開２００１−２８７２２１号公報
【特許文献６】
特開２００１−２１２８１９号公報
【０００５】
【発明が解決しようとする課題】
しかしながら、特許文献１〜６に示される既存のタイルカッター装置等は、タイルかカッターのいずれかを直線状に移動させるための駆動機構が必要であるため、電動カッターを駆動する以外にも動力コストがかさむ上に、構造が複雑となる。また、電動式等の駆動機構を用いず、手動でタイルかカッターのいずれかを動かす場合には、作業負担が大きくなる。さらに、既存のタイルカッター装置等は、タイル及びカッターを水平に固定若しくは移動させる方式であるため、装置全体が大型となり、広い設置空間を占めることになる。
【０００６】
尚、施工内容によっては、数十枚、数百枚のタイル等の平板建築資材を加工することが必要であるので、できるだけ作業を迅速かつ簡単に行うことができ、作業負担の少ないカッター装置であることが要求される。
【０００７】
以上の現状に鑑み、本発明の目的は、タイル等の平板建築資材又はカッターの移動のための動力や駆動機構を必要とせず、平板建築資材を迅速かつ確実に切断することができ、さらにコンパクトな平板建築資材用カッター装置を提供することを目的とする。さらに、作業負担が少なく、簡易に使用できる平板建築資材用カッター装置を提供することを目的とする。
【０００８】
【課題を解決するための手段】
上記の目的を達成すべく、本発明は以下の構成による平板建築資材用カッター装置を提供する。
（１）請求項１に係る平板建築資材用カッター装置は、平板建築資材を傾斜方向に滑落させるための傾斜面を設けた傾斜台と、前記傾斜方向と平行な方向に該平板建築資材を切断すべく前記傾斜面上に設置されるカッターと、前記カッターを固定するカッター固定手段とを有する平板建築資材用カッター装置に於いて、
前記カッター固定手段が、前記傾斜面から所定の高さに保持されかつ上面側にて該カッターを固定した取付板を具備し、該取付板が、
前記上面側に固定した前記カッターにおける切断作業部位をその下面側から突出させるべく穿設されたカッタースリットと、
前記取付板の該傾斜面からの高さを調節する第１の高さ調節手段と、
前記カッターの該傾斜面からの高さを調節する第２の高さ調節手段と、
前記平板建築資材を切断する幅を調節すべく前記傾斜面上において前記傾斜方向と垂直な方向について該取付板を移動可能とする幅調節手段とを具備する。
（２）請求項２に係る平板建築資材用カッター装置は、請求項１の装置において、前記幅調節手段が、前記傾斜面上から前記取付板に向かって延びるロッド体を通しかつ案内すべく前記傾斜方向と垂直な方向に延在して該取付板に穿設された幅調節スリットを具備することを特徴とする。
（３）請求項３に係る平板建築資材用カッター装置は、請求項１又は２の装置において、前記平板建築資材が折れ曲がり部分を具備する場合にその折れ曲がり部分を受容すべく、前記傾斜台の傾斜面上に前記傾斜方向に沿って延在する溝を設けたことを特徴とする。
【０００９】
【発明の実施の形態】
以下、図面を参照しつつ本発明による平板建築資材用カッター装置の実施の形態を説明する。尚、本明細書中で「平板建築資材を切断する」という場合は、広い意味で解され、平板建築資材を完全に切り離す場合と、切溝を形成するのみで完全には切り離さない場合の双方を含むこととする。切溝を形成した場合は、その後の作業においてその切溝に沿って簡単に平板建築資材を割ることができる。また、平板建築資材として代表的なものには陶器製のタイルがあるが、これ以外にも石材、レンガ等、種々の材料から作製された平板を含む。
【００１０】
図１は、本発明による平板建築資材用カッター装置の一実施例を示す外観斜視図である。以下、平板建築資材がタイルである場合について説明する。
本発明による平板建築資材用カッター装置１０は、傾斜面を設けた傾斜台１２と、傾斜面の傾斜方向と平行な方向にタイルを切断すべく設置されるカッター２４とを有する。傾斜面の上端から矢印Ｓ１で示すようにタイル３０ａを傾斜面上に投入すると、投入されたタイルは重力により傾斜方向に沿って滑り落ちていく。カッター２４は、タイルの滑落途中に通過する空間に適宜の固定手段により設置固定されており、滑落してきたタイルを切断する。切断されたタイルはそのまま傾斜面を滑落し続け、矢印Ｓ２で示すように傾斜面の下端から送出される。すなわち、タイルは、傾斜台１２と取付板１６の間を通り抜けたことになる。送出されたタイル３０ｄには、カッター２４により切溝５０が形成されている。
【００１１】
円盤状のカッター２４は、電動カッター部２１の構成要素であるが、好適例においては電動カッター部２１は、市販の電動カッターをそのまま取り付けることにより実施可能である。電動カッター部２１は、カッター２４を回転駆動するモータ２２を具備し、モータ２２は電源コード２３を介してＡＣ電源へ接続される。カッター２４は安全のためにカッターカバー２５により覆われている。
【００１２】
電動カッター部２１全体は、カッターカバー２５から水平に延びているカッター高さ調節ロッド２８がカッター固定具２９によりカッター高さ調節部２６に固定されることにより、カッター高さ調節部２６を介してカッター取付板１６へ取り付けられ固定される。本実施例では、カッター高さ調節ロッド２８として螺子若しくはボルトを用いており、カッター固定具２９としてつまみナットを用いている。カッター高さ調節部２６は、本実施例ではＬ字型金具でありその基部２６ａが、接着若しくは溶着等によりカッター取付板１６に固定されている。
【００１３】
円盤状のカッター２４が実際にタイルを切断する切断作業部位は、カッター取付板１６に穿設したカッタースリット１７を通してカッター取付板１６の下面から突出しているが、本実施例においては傾斜台１２の傾斜面には達していない位置にある。図１では、カッター２４及びカッタースリット１７は明示されていないが、後述する図２及び図３で詳細に示す。
【００１４】
カッター高さ調節部２６は、電動カッター部２１を固定すると同時に、その呼称の通り、カッター２４の傾斜面からの高さ調節機能を具備するが、これについては図２を参照して後述する。
【００１５】
カッター取付板１６は、その両側に穿設した幅調節スリット２０ａ、２０ｂを通って延びるロッド状の取付板高さ調節部１８ａ、１８ｂに対して取付板固定具１９ａ、１９ｂにより固定されることにより、傾斜面から所定の高さに保持されている。本実施例では、ロッド状の取付板高さ調節部１８ａ、１８ｂは、本実施例では螺子若しくはボルトを用いており、カッター取付板１６の傾斜面からの高さを調節することができる。また、取付板固定具１９ａ、１９ｂとしてつまみナットを用いている。
【００１６】
取付板高さ調節部１８ａ、１８ｂは、取付板１６を固定すると同時に、その呼称の通り、取付板１６の傾斜面からの高さ調節機能を具備するが、これについては図２を参照して後述する。
【００１７】
さらに、ロッド状の取付板高さ調節部１８ａ、１８ｂは、カッター取付板１６の幅調節スリット２０ａ、２０ｂに通され、この幅調節スリット２０ａ、２０ｂに案内されて水平方向（すなわち斜面の傾斜方向と垂直な方向）にスリット内を動くことができる。但し、取付板高さ調節部１８ａ、１８ｂの基部は傾斜台１２に固定されているから、取付板１６が水平方向に移動可能となる。この取付板１６の水平方向移動はすなわち、取付板１６に取り付けたカッター２４の固定位置を水平方向に移動することを意味し、これによりタイルの切断される幅を調節することができる。このタイル切断幅調整機構については、図３を参照して後述する。
【００１８】
本発明による装置１０の適用対象であるタイルの状態は、タイル３０ａ、３０ｄのように１個のタイルであっても、タイル３０ｂ及び３０ｃのように複数のタイルを台紙で連結した紙張りユニットであってもよい。
【００１９】
傾斜台１２の傾斜面については、投入されたタイルが引っ掛かりなく滑らかに直線状に落下できるように平滑面であることが好ましく、さらに摩擦の少ない材料で形成したり、摩擦を低減する汎用的な表面処理を行ったりすることが好適である。
【００２０】
また、投入されたタイルが滑落中に傾斜方向に対して垂直な方向にずれると、所望する幅で正確に切断することができないので、これを防止するために傾斜面上に、滑落中のタイルの側面に当接可能な側方ストッパ１４を設けることが好適である。本実施例における側方ストッパ１４は、傾斜面上に傾斜方向に沿って延在する所定の高さの壁である。従って、タイルを投入する際には、タイルの側面が側方ストッパ１４へ当接するように側方ストッパ１４へ押し当てるようにして投入することが好適である。傾斜面が十分に平滑であれば、タイルは側方ストッパ１４に当接した状態でそのまま滑落していく。
【００２１】
図示しないが、別の実施例においては、タイルの両側面に側方ストッパを設けると、確実にタイルのずれを防止することができる。その場合、一方の側方ストッパを水平方向に移動可能とすれば、タイル幅の変更にも対応できる。あるいは、別の実施例においては、図１に示す側方ストッパを設けると共に、タイルの他方の側から当該側方ストッパの方へタイルを軽く押し付けるための手段を設けてもよい。但し、タイルの滑落速度を著しく低下させたり停止させたりしない程度の押圧力とする。
【００２２】
傾斜台１２は、適宜の支持部４０により傾斜した状態で支持される。本実施例では４本の脚で構成されている。図１の外観から解るように、本装置は、傾斜台を作業ベースとしているので、水平な台を作業ベースとする従来のタイルカッター装置等に比べて占有空間（設置面積）を小さくすることができる。また、重力を利用してタイルが自然落下する途中において切断が行われるので、電動カッターを回転駆動する以外には、タイルやカッターを移動させるための駆動機構や動力を必要としない。また、別の実施例においては、本装置の非稼動時にこれらの脚４０を折り畳み、傾斜台１２の背面に沿わせた状態でコンパクトに収納できるようにし、あるいは、傾斜台１２から脚４０を取り外して収納できるようにすれば、非稼動時においては占有空間をさらに小さくできる。
【００２３】
また、別の実施例においては、本装置の稼動中、傾斜面の上から下へ水を流してもよい。これにより、熱の蓄積しやすいカッター２４の切断作業部位を冷却すると共に、タイルを円滑に落下させる効果も得られる。
【００２４】
図２は、図１において本発明の平板建築資材用カッター装置の右側から本装置を見た場合（図１の矢印Ｘの方向）の概略的な部分拡大図である。説明のために、図１における側方ストッパ１４を取り除いた状態を示している。図２に示したタイル３０ｅは、傾斜台１２の傾斜面を上側から滑り落ちてきて、カッター取付板１６と傾斜台１２との間の隙間を通過中である。このとき電動カッター部２１のカッター２４は、モーター２２により駆動され回転軸２４ａの周りに回転している。従って、タイル３０ｅのほぼ前半分にカッター２４の切断作業部位２４ｂが喰い込んでいる。このまま、タイル３０ｅが傾斜面を下側へ滑り落ちていくことにより、図１に示した通りタイル３０ｅに所望する切溝が形成されることになる。本装置における傾斜台１２の傾斜角θ１は、タイル３０ｅが滑らかに落下して所望の切断が実現される程度に、任意に設定できる。
【００２５】
次に、カッター取付板１６の傾斜面からの高さ調節機構について説明する。カッター取付板１６の傾斜面からの高さとは、カッター取付板１６と傾斜面との間の距離Ｄ１である。この間隔Ｄ１は、タイル３０ｅが通過できるようにタイル３０ｅの厚さｄよりも大きくする必要がある。この間隔Ｄ１の調節は、傾斜台１２から延びている取付高さ調節部１８ｂ及び取付板固定具１９ｂにより行うことができる（矢印Ｓ３）。本実施例では、取付高さ調節部１８ｂは螺子であり、取付板固定具１９ｂは、つまみナット及び六角ナットである。
【００２６】
さらに、カッター２４によりタイル３０ｅに形成する切溝の深さを調節するためには、カッター２４の切断作業部位２４ｂの傾斜面からの高さを調節する必要がある。この場合、カッター２４の切断作業部位２４ｂの傾斜面からの高さは、カッター２４の最下端と傾斜面との間の間隔Ｄ２で表すこととする。このＤ２が、タイル３０ｅにおいてカッター２４により切断されずに残される部分の厚さとなる。間隔Ｄ２の調節は、カッター取付板１６に固定され延びているカッター高さ調節部２６、カッター高さ調節スリット２７、カッター高さ調節ロッド２８及びカッター固定具２９により行うことができる（矢印Ｓ４）。すなわち、平板のカッター高さ調節部２６に穿設されたカッター高さ調節スリット２７に、カッター高さ調節ロッド２８が通され、このスリット内で矢印Ｓ４の方向に移動することによりカッター２４の高さ調節が行われる。本実施例では、カッター高さ調節ロッド２８は螺子であり、カッター固定具２９のつまみナット及び適宜のナット（図示せず）により固定される。
【００２７】
尚、本実施例では、カッター高さ調節部２６がカッター取付板１６の上面に固定されているので、カッター高さと、カッター取付板高さをそれぞれ独立して調節することはできない。手順としては、先ず、タイル３０ｅの厚さｄに合わせてカッター取付板高さＤ１を決定した後、タイル３０ｅの切残し部分の厚さにあわせてカッター高さＤ２を決定する。別の実施例においては、カッター高さと、カッター取付板高さをそれぞれ独立して調節するようにしてもよい。
【００２８】
また、別の実施例において、タイル３０ｅを完全に切り離す場合には、カッター２４の切断作業部位２４ｂを傾斜面まで若しくはそれ以下に下げる必要があるが、そのような実施例においては、傾斜面上にもカッター２４を収容するためのスリットを穿設する必要がある。
【００２９】
次に図３を参照して、本発明による平板建築資材用カッター装置におけるタイル切断幅調整機構について説明する。図３（Ａ）は、本装置におけるカッター取付板１６の近傍を概略的に示した平面図である。説明のために、図１の電動カッター部２１を取り除いて示している。カッター取付板１６には、カッターを通すためのカッタースリット１７が穿設されると共に、カッター取付板１６の固定位置を水平方向に移動させるための幅調節スリット２０ａ、２０ｂが穿設される。傾斜台１２から延びるロッド状の取付板高さ調節部１８ａ、１８ｂがこの幅スリット２０ａ、２０ｂ内を水平方向（すなわち斜面の傾斜方向と垂直な方向）にスリット内を動くことにより、カッター取付板１６の傾斜台１２との水平方向における相対的位置が変化する。これにより、カッター取付板１６に取り付けられたカッターと、傾斜台１２上の側方ストッパ１４との距離が変化する。この結果、タイルにおける切断位置すなわち切断される幅を調節することができる。
【００３０】
図３（Ｂ）は、本装置により切断されたタイル３０ｆの平面図であり、切溝５０が形成されている。図３（Ａ）で示したタイル切断幅調整機構により、図３（Ｂ）に示す距離Ｄ３を調節することができ、所望する幅にタイルを切断することができる。図３（Ｃ）は、図３（Ｂ）の前側面図である。切溝５０は、タイル３０ｆの厚さの途中まで形成されており、タイル３０ｆは完全に切り離されてはいない。
【００３１】
図３（Ｄ）は、図３（Ａ）のカッター取付板１６における上側の側面１６ａを示す図である。側面１６ａにメジャー１６ｂを取り付けることにより、カッター取付板１６の水平方向が位置決めが容易となる。図３（Ｄ）において、メジャー１６ｂの原点０がカッターの位置になる。これにより、カッターと側方ストッパ１４との間の距離Ｄ３を計測できる。
【００３２】
図４は、本発明による平板建築資材用カッター装置の傾斜台１２についての別の実施例を示す図である。図４（Ａ）は、傾斜台１２の平面図である。本実施例における傾斜台１２は、直角の折れ曲がり部分を有する折れ曲がりタイル３０ｇに適応させたものである。傾斜台１２の傾斜面上には、傾斜方向に沿って延在する溝１３が形成されている。この溝１３は、折れ曲がりタイル３０ｇの折れ曲がり部分を受容するための溝である。図４（Ｂ）は、図４（Ａ）のＹ−Ｙ断面図である。本実施例では、折れ曲がりタイル３０ｇの折れ曲がり部分を溝１３の縁に当接させて、タイル３０ｇを傾斜台に投入する。投入されたタイル３０ｇは、この状態のまま傾斜面を滑り落ちる。
【００３３】
図５は、本発明による平板建築資材用カッター装置の傾斜台１２についてのさらに別の実施例を示す図である。図５（Ａ）は、傾斜台１２の平面図である。図５（Ｂ）は、図５（Ａ）のＺ−Ｚ断面図である。本実施例では、傾斜台１２の傾斜面に対して、側方ストッパ１４を設けた側が他方の側より低くなるように、第２の傾斜が設けられている。このように、本来の傾斜方向と垂直な方向について、側方ストッパ１４を設けた側を低くしたことにより、タイル３０ｈが側方ストッパ１４の方へ押し当てられることになる。この場合も重力を利用したものである。尚、第２の傾斜の角度θ２は、タイル３０ｈを側方ストッパ１４へ押し当てる効果が実現される程度に任意に設定される。尚、本実施例においても、カッター取付板（図示せず）は傾斜面と平行に設置されるので、カッターによるタイル切断面は垂直のままであり、斜めになることはない。
【００３４】
以上では、主として本発明の一実施例に沿って本発明を説明したが、本発明の原理に沿って公知の技術を用いて部分的な改変を行うことも可能である。例えば、各高さ調節機構及び切断幅調節機構については、種々の実施例が考えられる。従って、本発明の実施態様を図示したものに限定するものではない。
【００３５】
【発明の効果】
本発明による平板建築資材用カッター装置は、傾斜面の途中にカッターを固定することにより、傾斜面の上端から投入されたタイル等の平板建築資材が重力に従って傾斜面上を滑落する途中でカッターにより切断され、そのまま傾斜面の下端まで落下するように構成したものである。
【００３６】
本装置は、重力を利用して平板建築資材が自然落下する途中において切断が行われるので、電動カッターを回転駆動する以外には、平板建築資材やカッターを移送するための駆動機構や動力を必要としない。
【００３７】
また、傾斜台を作業ベースとしているので、水平な台を作業ベースとする従来のタイルカッター装置等に比べて占有空間（設置面積）を小さくすることができる。
【００３８】
さらに、本装置は、作業者にとっては平板建築資材を傾斜面に投入する作業のみであるので、迅速かつ簡単に切断作業を行うことができ、大量の平板建築作業を切断しなければならない場合には極めて有効である。
【図面の簡単な説明】
【図１】本発明による平板建築資材用カッター装置の一実施例を示す外観斜視図である。
【図２】図１において本発明の平板建築資材用カッター装置の右側から本装置を見た場合（図１の矢印Ｘの方向）の概略的な部分拡大図である。
【図３】（Ａ）は、本装置におけるカッター取付板１６の近傍を概略的に示した平面図である。（Ｂ）は、本装置により切断されたカッター３０ｆの平面図である。（Ｃ）は、（Ｂ）の前側面図である。（Ａ）のカッター取付板１６における上側の側面１６ａを示す図である。
【図４】本発明による平板建築資材用カッター装置の傾斜台１２についての別の実施例を示す図である。（Ａ）は、傾斜台１２の平面図である。（Ｂ）は、（Ａ）のＹ−Ｙ断面図である。
【図５】本発明による平板建築資材用カッター装置の傾斜台１２についてのさらに別の実施例を示す図である。（Ａ）は、傾斜台１２の平面図である。（Ｂ）は、（Ａ）のＺ−Ｚ断面図である。
【符号の説明】
１０  平板建築資材用カッター装置
１２  傾斜台
１３  折曲がりタイル受け部
１４  側方ストッパ
１６  カッター取付板
１７  カッタースリット
１８ａ、１８ｂ  取付板高さ調節部
１９ａ、１９ｂ  取付板固定具
２０ａ、２０ｂ  幅調節スリット
２１  電動カッター部
２２  モータ
２３  電源コード
２４  カッター
２４ａ  カッター回転軸
２４ｂ  カッター切断作業部位
２５  カッターカバー
２６  カッター高さ調節部
２６ａ  カッター高さ調節部の基部
２７  カッター高さ調節スリット
２８  カッター高さ調節ロッド
２９  カッター固定具
３０ａ、３０ｂ、３０ｃ、３０ｄ、３０ｅ、３０ｆ、３０ｇ、３０ｈ  タイル
３２  台紙
４０  傾斜台支持部
５０  切溝
Ｄ１  スライド板高さ
Ｄ２  カッター高さ
Ｄ３  タイル切断幅
Ｄ４  折曲がり受容長さ
Ｓ１  タイル投入方向
Ｓ２  タイル送出方向
Ｓ３  カッター高さ調整方向
Ｓ４  スライド板高さ調整方向
Ｓ５  スライド板スライド方向
【図１】
0003677264.tif 000002
【図２】
0003677264.tif 000003
【図３】
0003677264.tif 000004
【図４】
0003677264.tif 000005
【図５】
0003677264.tif 000006